(57)【要約】【課題】巻回体を容易に固定して保管できる縦型保管器具を提供する。【解決手段】略円筒状の紙管（巻軸）１２にフィルム１４が巻回されて形成された巻回体１６を、巻回体１６の中心軸Ｃを略垂直にした状態で保管する縦型保管器具１０を、紙管１２と、紙管１２の一端２４に取り付ける一端固定具１８と、巻回体１６を固定した紙管１２を略垂直に支持する基板２１と、紙管１２の他端２６に取り付ける他端固定具１９と、基板２１が紙管１２を略垂直に支持するとき、紙管１２に固定された巻回体１６の上部を覆う上板２３とから構成した。【選択図】図１
2019031312.tif 000002
【特許請求の範囲】
【請求項１】
フィルムを巻回した巻回体を該巻回体の中心軸を略垂直にした状態で保管する縦型保管器具であり、
中空部を有する管状であって、一端及び他端を有し、フィルムを巻回した巻回体を固定する外周面を有し、該中空部の一端付近及び他端付近に被係合部を有する巻軸と、
手で把持できる頭部と、該頭部の中央部から突出し前記巻軸の前記一端に挿入する挿入部と、を備え、該挿入部は、該巻軸の一端付近の前記被係合部に係合する係合部を有し、該係合部を該巻軸の一端付近の該被係合部に係合することにより、該巻軸の一端に固定される一端固定具と、
略平板状であり、略中心部に前記一端固定具の前記挿入部を貫通させる貫通孔を有し、該貫通孔に該挿入部が挿入された状態で、前記巻回体が固定された前記巻軸の一端に固定され、略水平な状態で、該巻軸を略垂直に支持するように構成された基板と、
手で把持できる頭部と、該頭部の中央部から突出し前記巻軸の前記他端に挿入する挿入部と、を備え、該挿入部は、該巻軸の他端付近の前記被係合部に係合する係合部を有し、該係合部を該巻軸の他端付近の該被係合部に係合することにより、該巻軸の他端に固定される他端固定具と、
少なくとも保管する前記巻回体側が略平面であり、略中心部に前記他端固定具の前記挿入部を貫通させる貫通孔を有し、該貫通孔に該挿入部が挿入された状態で、前記巻回体が固定された前記巻軸の他端に固定され、前記基板が該巻軸を略垂直に支持するとき、該巻軸に固定された巻回体の上部に位置するように構成された上板と、
を備えた縦型保管器具。
【請求項２】
前記一端固定具の挿入部と前記巻軸の一端付近とが、前記巻回体を覆う保護カバーの一部を挟持するように構成され、
前記他端固定具の挿入部と前記巻軸の他端付近とが、前記巻回体を覆う保護カバーの一部を挟持するように構成された請求項１に記載する縦型保管器具。
【請求項３】
前記巻軸の一端付近の前記被係合部及び他端付近の前記被係合部は凹部から構成され、前記一端固定具の前記係合部及び前記他端固定具の前記係合部は凸部から構成され、該凹部は、該巻軸の中央部から一端又は他端へいくに従って深くなる斜辺と該巻軸の中空部の内周面に対して略垂直の隣辺とから成る、略垂直三角形の断面を有する請求項１又は２に記載する縦型保管器具。
【請求項４】
略水平に定置される前記基板の下面と、前記巻軸の一端に固定された前記一端固定具の前記頭部の下面とは、面一である請求項１〜３のいずれかに記載する縦型保管器具。
【発明の詳細な説明】
【技術分野】
【０００１】
本願発明は、工業用又は包装用等のフィルムを巻軸に巻回した巻回体を、巻回体の中心軸を略垂直にした状態で保管するための縦型保管器具に関する。
【背景技術】
【０００２】
従来から、包装フィルム等として、ＰＥＴフィルム、ＰＰフィルム、又はナイロンフィルム等が幅広く使用されている。
【０００３】
図１３に、ＰＥＴフィルム１００が紙管１０２に巻回されて形成された巻回体１０４を示す。巻回体１０４は、倉庫に保管され、包装フィルム等を製造する時には、倉庫から取り出され製造工程へ搬送される。製造工程に搬送された巻回体１０４からは、ＰＥＴフィルム１００が巻きだされて、包装フィルム等が製造される。
【０００４】
ここで、図１４に、光学フィルム１１０が巻軸１０８に巻回されて形成された巻回体１１２を保管するための巻回体保管器具１１４を示す（特許文献１に開示されている。）。巻回体保管器具１１４は、基台１１６と、基台１１６に垂設され、巻軸１０８の一端１１８付近及び他端１２０付近を支持する一対の支持板１２２と、から構成されている。
【０００５】
しかし、巻回体保管器具１１４によれば、巻回体１１２を支持板１２２によって支持するのみで固定しないため、工場の振動や地震の振動等によって巻回体１１２が巻回体保管器具１１４から離脱する場合がある。
【先行技術文献】
【特許文献】
【０００６】
【特許文献１】特開２０１１−９９９５５号公報
【発明の概要】
【発明が解決しようとする課題】
【０００７】
本発明は、巻回体を容易に固定して保管できる巻回体保管器具を提供することを目的とする。
【課題を解決するための手段】
【０００８】
本願発明に係る縦型保管器具は、フィルムを巻回した巻回体を該巻回体の中心軸を略垂直にした状態で保管する縦型保管器具であり、
中空部を有する管状であって、一端及び他端を有し、フィルムを巻回した巻回体を固定する外周面を有し、該中空部の一端付近及び他端付近に被係合部を有する巻軸と、
手で把持できる頭部と、該頭部の中央部から突出し前記巻軸の前記一端に挿入する挿入部と、を備え、該挿入部は、該巻軸の一端付近の前記被係合部に係合する係合部を有し、該係合部を該巻軸の一端付近の該被係合部に係合することにより、該巻軸の一端に固定される一端固定具と、
略平板状であり、略中心部に前記一端固定具の前記挿入部を貫通させる貫通孔を有し、該貫通孔に該挿入部が挿入された状態で、前記巻回体が固定された前記巻軸の一端に固定され、略水平な状態で、該巻軸を略垂直に支持するように構成された基板と、
手で把持できる頭部と、該頭部の中央部から突出し前記巻軸の前記他端に挿入する挿入部と、を備え、該挿入部は、該巻軸の他端付近の前記被係合部に係合する係合部を有し、該係合部を該巻軸の他端付近の該被係合部に係合することにより、該巻軸の他端に固定される他端固定具と、
少なくとも保管する前記巻回体側が略平面であり、略中心部に前記他端固定具の前記挿入部を貫通させる貫通孔を有し、該貫通孔に該挿入部が挿入された状態で、前記巻回体が固定された前記巻軸の他端に固定され、前記基板が該巻軸を略垂直に支持するとき、該巻軸に固定された巻回体の上部に位置するように構成された上板と、
を備えたことを特徴とする。
また、本願発明に係る縦型保管器具は、前記縦型保管器具において、前記一端固定具の挿入部と前記巻軸の一端付近とが、前記巻回体を覆う保護カバーの一部を挟持するように構成され、前記他端固定具の挿入部と前記巻軸の他端付近とが、前記巻回体を覆う保護カバーの一部を挟持するように構成されたことを特徴とする。
また、本願発明に係る縦型保管器具は、前記縦型保管器具において、前記巻軸の一端付近の前記被係合部及び他端付近の前記被係合部は凹部から構成され、前記一端固定具の前記係合部及び前記他端固定具の前記係合部は凸部から構成され、該凹部は、該巻軸の中央部から一端又は他端へいくに従って深くなる斜辺と該巻軸の中空部の内周面に対して略垂直の隣辺とから成る、略垂直三角形の断面を有することを特徴とする。
また、本願発明に係る縦型保管器具は、前記縦型保管器具において、略水平に定置される前記基板の下面と、前記巻軸の一端に固定された前記一端固定具の前記頭部の下面とは、面一であることを特徴とする。
また、本願発明に係る縦型保管器具は、前記縦型保管器具において、記巻軸の外周面が平滑であることを特徴とする。
また、本願発明に係る縦型保管器具は、前記縦型保管器具において、前記巻軸が紙管であることを特徴とする。
【０００９】
明細書及び特許請求の範囲において、平滑とは、凹凸が無く平らで穴及び孔が無い状態を言う。
【発明の効果】
【００１０】
本願発明の縦型保管器具によれば、巻回体の長手方向である中心軸方向を略垂直にした状態で巻回体を保管でき、巻回体を保管するためのスペースが少なくて済む。このため、パレット等の上で、より多くの巻回体を保管できる。また、本願発明の縦型保管器具によれば、紙管の一端付近において、基板の貫通孔を、紙管の一端に位置決めし、一端固定具の挿入部を貫通孔及び紙管の中空部に挿入し、一端固定具の係合部を紙管の被係合部に係合させることにより、紙管と一端固定具と基板とを互いに固定することができる。また、紙管の他端付近において、上板の貫通孔を、紙管の他端に位置決めし、他端固定具の挿入部を貫通孔及び紙管の中空部に挿入し、他端固定具の係合部を紙管の被係合部に係合させることにより、紙管と他端固定具と上板とを互いに固定することができる。これにより、基板を下にして中心軸を略垂直にして巻回体を保管するための準備作業、すなわち縦型保管器具を巻回体に取り付ける準備作業を容易に行うことができ、準備作業工数を低減できる。
【００１１】
また、本願発明の縦型保管器具によれば、縦型保管器具の構成部品を接着材の使用をすることなく巻回体に取り付けることができる。このため、接着剤をカッタ又は溶剤により取り除くことなく、一端固定具及び他端固定具を紙管から取り外すことにより、容易に巻回体から取り外すことができる。このため、再利用するための作業の工数を低減できるとともに再利用するための作業が環境に与える影響を良好にすることができる。
【００１２】
本願発明において、前記一端固定具の挿入部と前記巻軸の一端付近とが、前記巻回体を覆う保護カバーの一部を挟持するように構成され、前記他端固定具の挿入部と前記巻軸の他端付近とが、前記巻回体を覆う保護カバーの一部を挟持するように構成された場合、巻回体を覆う保護カバーを、保護カバーの固定手段を別途設けることなく、一端固定具又は他端固定具等によって固定できる。
【００１３】
本願発明において、巻軸の一端付近の被係合部及び他端付近の被係合部は凹部から構成され、一端固定具の係合部及び他端固定具の係合部は凸部から構成され、凹部は、巻軸の中央部から一端又は他端へいくに従って深くなる斜辺と巻軸の中空部の内周面に対して略垂直の隣辺とから成る、略垂直三角形の断面を有する場合、一端固定具を巻軸の中央部側から一端側へ引っ張っても、一端固定具の係合部が凹部の隣辺に引っ掛かり、一端固定具を巻軸から外すことはできない。一方で、一端固定具を中心軸のまわりに巻軸に対して回転させることにより、板片部を弾性変形させ、係合部を略求心方向に移動させて一端固定具を被係合部から容易に離脱させることができる。また、他端固定具を巻軸の中央部側から他端側へ引っ張っても、他端固定具の係合部が凹部の隣辺に引っ掛かり、他端固定具を巻軸から外すことはできない。一方で、他端固定具を中心軸のまわりに巻軸に対して回転させることにより、板片部を弾性変形させ、係合部を略求心方向に移動させて他端固定具を被係合部から容易に離脱させることができる。
【００１４】
本願発明において、略水平に定置される前記基板の下面と、前記巻軸の一端に固定された前記一端固定具の前記頭部の下面とは、面一である場合、上面に平面を有するパレット等の上に安定した状態で載置できる。
【００１５】
本願発明において、巻軸が紙管である場合、巻軸又は周囲に静電気が生じることがない。また、他の部材から巻軸を構成するのと異なり、コストを削減できる。
【図面の簡単な説明】
【００１６】
【図１】本願発明に係る縦型保管器具の実施形態を示す図であり、同図（ａ）は正面図であり、同図（ｂ）は底面図である。
【図２】図１の縦型保管器具の拡大正面断面図である。
【図３】図１の縦型保管器具を構成する紙管を示す拡大図であり、同図（ａ）は正面断面図であり、同図（ｂ）は底面図である。
【図４】図１の縦型保管器具を構成する一端固定具を示す拡大図であり、同図（ａ）は正面図であり、同図（ｂ）はＡ−Ａ線切断部断面図である。
【図５】図１の縦型保管器具を構成する一端固定具を示す拡大図であり、同図（ａ）は側面図であり、同図（ｂ）は底面図である。
【図６】図１の縦型保管器具を構成する基板を示す拡大図であり、同図（ａ）は正面断面図であり、同図（ｂ）は底面図であり、同図（ｃ）は基板に設けた貫通孔の拡大図である。
【図７】図１の縦型保管器具を使用するために、巻回体をブロックに載置した状態を示す図であり、同図（ａ）は正面図であり、同図（ｂ）は左側面図である。
【図８】図１の縦型保管器具の使用状態を示す正面図である。
【図９】図１の縦型保管器具の使用状態を示す拡大右断面図であり、同図（ａ）は一端固定具の挿入部を巻軸に挿入した状態を示す図であり、同図（ｂ）は挿入部の凸部を巻軸の凹部に係合した状態を示す図である。
【図１０】本願発明に係る縦型保管器具の他の実施形態を示す正面断面図である。
【図１１】同図（ａ）は本願発明に係る縦型保管器具を構成する一端固定具及び他端固定具の他の実施形態を示す拡大平面図であり、同図（ｂ）は本願発明に係る縦型保管器具を構成する一端固定具及び他端固定具の更に他の実施形態を示す拡大平面図である。
【図１２】同図（ａ）は本願発明に係る縦型保管器具を構成する一端固定具及び他端固定具の更に他の実施形態を示す拡大平面図であり、同図（ｂ）は本願発明に係る縦型保管器具を構成する一端固定具及び他端固定具の更に他の実施形態を示す拡大平面図である。
【図１３】従来の巻回体を示す図であり、同図（ａ）は平面図であり、同図（ｂ）は正面断面図である。
【図１４】従来の巻回体保管器具を示す正面図である。
【発明を実施するための形態】
【００１７】
次に、本願発明の実施形態について、図面に基づいて詳細に説明する。図１及び図２において、符号１０は、本願発明の縦型保管器具である。縦型保管器具１０は、略円筒状の紙管（巻軸）１２にフィルム１４が巻回された巻回体１６を、巻回体１６の中心軸Ｃを略垂直にした状態で保管するためのものである。
【００１８】
（構成）
縦型保管器具１０は、紙管１２と、紙管１２の一端２４に取り付ける一端固定具１８と、巻回体１６が巻回された紙管１２を略垂直に支持する基板２１と、紙管１２の他端２６に取り付ける他端固定具１９と、基板２１が紙管１２を略垂直に支持するとき、紙管１２に巻回された巻回体１６の上部を覆う上板２３とから構成されている。
【００１９】
紙管１２は、図２及び図３に示すように、長手方向の中空部２２を有している。中空部２２の中で紙管１２の一端２４付近に、一端固定具１８が有する図２に示す２箇所の凸部（係合部）３０が係合される２個の凹部（被係合部）２８を有している。また、紙管１２は、中空部２２の中で紙管１２の他端２６付近に、他端固定具１９が有する図２に示す２箇所の凸部（係合部）３０が係合される２個の凹部（被係合部）２８を有している。凹部２８は、図３（ａ）に示すように、中空部２２の中央部側から一端２４側又は他端２６側へいくに従って深くなるテーパを有し、底辺２９が中空部２２の内周面に対して略垂直の辺を有する略垂直三角形の断面を有しており、凹部２８に係合した凸部３０が、底辺２９に当接することにより、中空部２２の中央部側から一端２４側又は他端２６側へ移動しないように構成され、凸部３０が中空部２２の中央部側から一端２４側又は他端２６側へ離脱しないように構成されている。
【００２０】
一端固定具１８は、図２、図４及び図５に示すように、紙管１２の中空部２２に挿入する略円筒状の挿入部３２と、挿入部３２の中の中心軸Ｃ１向後端３４に連続する頭部３６とから構成される。挿入部３２は、頭部３６の中央部から突出する。挿入部３２と頭部３６とは、樹脂成形により一体的に形成される。樹脂の原料は、以下に示す板片部４０が弾性変形可能であれば、ＡＢＳ（Acrylonitrile Butadiene Styrene）等、特に限定されない。
【００２１】
挿入部３２の同一直径上の２箇所には、図４及び図５（ａ）に示すように、コの字形状の切り欠き３８が設けられ、切り欠き３８を周辺（３辺）とする板片部４０が形成されている。紙管１２の凹部２８に係合する凸部３０は、板片部４０の中の先端４２（図５（ａ）に示す）付近に設けられている。板片部４０は、弾性変形可能な材料及び寸法から構成されており、板片部４０に設けられた凸部３０は、挿入部３２の円形断面の略半径方向に弾性的に移動可能である。図４（ｂ）に示すように、凸部３０の中で一端固定具１８の凹部２８に接触する両側面４４は、挿入部３２の円形断面の半径方向に対して傾斜しており、凹部２８に凸部３０を係合した状態から一端固定具１８を中心軸Ｃ１のまわりに回転させることにより、側面４４が凹部２８の開口部に対して摺動しながら、凸部３０が凹部２８から離脱し、一端固定具１８を紙管１２から抜き出せるように構成されている。
【００２２】
頭部３６は、図５（ｂ）に示すように、片手で把持して中心軸Ｃ１のまわりに回転させる時に滑り難いように、８角形状の外周を有している。頭部３６の外周は、６角形等の多角形であってもよい。頭部３６は、工具を用いて回転させることもできるように、工具を係合する係合溝４６が設けられている。頭部３６及び挿入部３２は、軽量化のために、中央部に中空部３５を有している。
【００２３】
基板２１は、図１及び図６（ａ）に示すように、平板状部材から構成される。保管する巻回体１６側が平面であることにより、基板２１を巻回体１６に接近または当接させて周辺のスペースを確保できる。保管する巻回体１６と逆側の下面２１Ｌが平面であることにより、上面が平面であるパレットＰ（図１（ａ）に示す）の上に定置できる。基板２１の材質は、巻回体１６が巻かれた紙管１２を中心軸Ｃが略垂直な状態で支持できる強度を有していれば、樹脂、木材等、特に限定されない。基板２１の中央部には、図６（ｂ）に示すように、一端固定具１８の挿入部３２を貫通させる貫通孔４８が設けられている。貫通孔４８の直径は、一端固定具１８の挿入部３２を挿入できるように、一端固定具１８の挿入部３２の外周円の直径と略同一に構成されている。貫通孔４８の相対向する２箇所には、図６（ｃ）に示すように、一端固定具１８の挿入部３２を貫通孔４８に貫通させる時に一端固定具１８の凸部３０を通過させることのできる通過溝５０が設けられている。また、基板２１は、図６（ｂ）に示すように、一端固定具２１の頭部３６を収納する凹部４３を備えている。
【００２４】
ここで、紙管１２の凹部２８の底辺２９から紙管１２の一端２４までの距離Ｌ１（図３（ａ）に示す）と、一端固定具１８の凸部３０の頭部３６側の後端４５から頭部３６までの距離Ｌ２（図４（ａ）及び図５（ａ）に示す）と、各基板２１の厚さＬ３（図６（ａ）に示す）との間には、図２に示すように、Ｌ２＝Ｌ１＋Ｌ３なる関係がある。これにより、一端固定具１８の凸部３０を紙管１２の凹部２８に係合して一端固定具１８を紙管１２に固定した時に、図２に示すように、地上に略水平に定置される基板２１の下面２１Ｌと、基板２１の凹部４３に収納される一端固定具１８の頭部３６の端面（頭部の下面）４４とは、面一となる。これにより、上面が平面である図１（ａ）に示すパレットＰに安定した状態で載置できる。
【００２５】
他端固定具１９は、一端固定具１８と同一の構成であり、挿入部３２と頭部３６とから構成される。上板２３は、基板２１が紙管１２を略垂直に支持するとき、紙管１２に固定された巻回体１６の上部に位置するように構成されたこと以外は、基板２１と同一の構成であり、平板状部材から構成され、中央部に貫通孔４８が設けられている。他端固定具１９と一端固定具１８とを、及び、上板２３と基板２１とを、同一の構成とすることにより、量産コストを低減できる。なお、上板２３と基板２１との間で、厚さ及び外周の寸法を異ならせてもよい。
【００２６】
（作用）
以上のような構成の縦型保管器具１０を用いて、巻回体１６を巻回体１６の中心軸Ｃを略垂直にした状態で保管する作用について、以下に説明する。なお、特に断らない限り、作用を時系列に沿って説明する。
【００２７】
図示しない巻回装置により、紙管１２にフィルム１４が巻回され巻回体１６が形成される。巻回体１６は、縦型保管器具１０が配置された倉庫まで運搬される。
【００２８】
倉庫においては、図７に示すように、床５８上に、Ｖ字溝６０を有する位置決めブロック６２が設置されている。巻回体１６は、保護カバー１７が巻かれて、ブロック６２のＶ字溝６０に載置される。図８に示すように、保護カバー１７の端部１１８付近は粘着テープ１２４が貼着される。保護カバー１７の両側端部１７Ｔ（図２に示す）は、紙管１２の中空部２２に挿入される。このため、保護カバー１７は、巻回体１６全てを覆うとともに、両側端部１７Ｔを紙管１２の中空部２２に挿入するのに十分な寸法を有する。ブロック６２は、Ｖ字溝６０の高さを調節できる構成であってもよい。
【００２９】
巻回体１６をＶ字溝６０に載置した時には、紙管１２の一端２４及び他端２６が、中心軸Ｃ方向において、ブロック６２の端部６４よりも突出している必要がある。これにより、基板２１及び上板２３を、ブロック６２に干渉されることなく、紙管１２の一端２４及び他端２６に当接させて、基板２１及び上板２３を巻回体１６に設置できる。
【００３０】
次に、図８に示すように、基板２１が床５８上を水平移動させられ、紙管１２の一端２４に当接させられ、一端固定具１８の挿入部３２が、基板２１の貫通孔４８及び紙管１２の中空部２２の一端２４付近に挿入される。この時、一端固定具１８が有する凸部３０（図４（ａ）に示す）は、基板２１の貫通孔４８が有する通過溝５０（図６（ｃ）に示す）を通過させられる。一端固定具１８の挿入部３２は、頭部３６が基板２１の凹部４３（図２に示す）に当接するまで、基板２１の貫通孔４８及び紙管１２の一端２４付近に挿入される。これにより、基板２１の貫通孔４８の周囲は、一端固定具１８の頭部３６と紙管１２の一端２４とによって挟持される。保護カバー１７の側端部１７Ｔ付近は、図２に示すように、一端固定具１８の挿入部３２と紙管１２の中空部２２とによって挟持される。
【００３１】
図２に示すように、一端固定具１８の挿入部３２が紙管１２の一端２４付近に挿入され、基板２１の貫通孔４８の周囲が、一端固定具１８の頭部３６と紙管１２の一端２４とによって挟持された時、中心軸Ｃと平行な方向においては、一端固定具１８の凸部３０の位置が紙管１２の凹部２８の位置と一致する。構成の説明で述べたように、紙管１２における一端２４付近の凹部２８の底辺２９から一端２４までの距離Ｌ１と、一端固定具１８の後端４５までの距離Ｌ２と、基板２１の厚さＬ３との間には、図２に示すように、Ｌ２＝Ｌ１＋Ｌ３なる関係があるためである。
【００３２】
一端固定具１８の挿入部３２が紙管１２の一端２４付近に挿入され、基板２１の貫通孔４８の周囲が、一端固定具１８の頭部３６と紙管１２の一端２４とによって挟持された時、通常は、紙管１２の円周方向においては、一端固定具１８が有する凸部３０の位置が一端２４付近の凹部２８の位置に一致することはない。一端固定具１８を挿入する作業者が凹部２８の位置を確認するのは困難だからである。例えば、一端固定具１８の凸部３０の位置は、図９（ａ）に示すように、一端２４付近の凹部２８の位置よりも時計まわりにずれている。これにより、一端固定具１８の凸部３０は、中空部２２の内周面によって押圧され、図９（ａ）に示すように、一端固定具１８の板片部４０は紙管１２の略求心方向に弾性変形している。
【００３３】
次に、一端固定具１８が、図９（ａ）に示すように、反時計まわりに回転させられ、一端固定具１８の凸部３０が反時計まわりに回転させられる。反時計まわりに回転させられる一端固定具１８の凸部３０の位置は、やがて、図９（ｂ）に示すように、紙管１２の円周方向において、一端２４付近の凹部２８の位置と一致する。これにより、一端固定具１８の凸部３０は、中空部２２の内周面による押圧から解放され、一端固定具１８の板片部４０は、紙管１２の略遠心方向に弾性変形し、一端固定具１８の凸部３０は、一端２４付近の凹部２８に係合される。これにより、一端固定具１８は、紙管１２の一端２４付近に固定される。
【００３４】
構成の説明で述べたように、凹部２８は、図３（ａ）に示すように、中空部２２の中央部側から一端２４側へいくに従って深くなり、底辺２９が中空部２２の内周面に対して略垂直の略垂直三角形の断面を有している。これにより、一端２４付近の凹部２８に係合した一端固定具１８の凸部３０が、底辺２９に当接するため、中空部の中央部側から一端２４側へ移動することはなく、凸部３０が中空部２２の中央部側から一端２４側へ離脱することはない。
【００３５】
このようにして、巻回体１６の紙管１２の一端２４付近において、一端固定具１８及び基板２１が巻回体１６の紙管１２に固定される。すなわち、巻回体１６の紙管１２の一端２４付近において、巻回体１６の紙管１２と一端固定具１８と基板２１とが互いに固定される。次に、巻回体１６の紙管１２の他端２６付近においても、紙管１２の一端２４付近と同様の作用により、他端固定具１９及び上板２３が巻回体１６の紙管１２に固定され、巻回体１６の紙管１２と他端固定具１９と上板２３とが互いに固定される。このようにして基板２１及び上板２３が巻回体１６に固定される。
【００３６】
基板２１及び上板２３が巻回体１６に固定された状態で、巻回体１６が保管場所へ移動させられる。巻回体１６は、保管場所において、図１（ａ）に示すように、基板２１を下にして中心軸Ｃを略垂直にした縦向きの状態で、パレットＰ上に載置される。巻回体１６を縦向きにする作業は、紙管１２の他端２６側等をチャックで保持して吊り上げる等により行うが、手作業で行うことも可能である。基板２１は、パレットＰ上で、紙管１２及び巻回体１６を支持する。上板２３は、紙管１２及び巻回体１６の上部を覆う。パレットＰ上に載置された巻回体１６は、所定期間保管される。
【００３７】
保管されていた巻回体１６を包装フィルム等に製造のために使用するときには、巻回体１６は、保管場所から取り出され、ブロック６２上に載置される。次に、一端固定具１８は、一端固定具１８の凸部３０が紙管１２の一端２４付近の凹部２８に係合された状態（図９（ｂ）に示す状態）から、例えば反時計まわりに回転させられる。一端固定具１８が反時計まわりに回転することにより、挿入部３２の円形断面の半径方向に対して傾斜している側面４４が一端２４付近の凹部２８の開口部に対して摺動しながら、一端固定具１８の凸部３０が一端２４付近の凹部２８から離脱していく。この時、板片部４０は、挿入部３２の円形断面の求心方向へ弾性変形していく。
【００３８】
一端固定具１８の凸部３０が一端２４付近の凹部２８から離脱すると、一端固定具１８は、紙管１２の一端２４付近、及び基板２１の貫通孔４８から、中心軸Ｃと平行な方向に抜き出される。一端固定具１８が紙管１２の一端２４付近から抜き出されることにより、一端固定具１８及び基板２１が巻回体１６から離脱する。
【００３９】
一端固定具１８と同様に、他端固定具１９が紙管１２の他端２６付近、及び他の基板２１の貫通孔４８から、抜き出され、他端固定具１９及び上板２３が巻回体１６から離脱する。これにより、保護カバー１７の巻かれた巻回体１６がブロック６２によって支持された状態となる。次に、保護カバー１７の巻かれた巻回体１６が製造工程へ搬送される。巻回体１６は、保護カバー１７が取り除かれ、製造工程へ搬送される。製造工程に搬送された巻回体１６からは、フィルム１４が巻きだされて、包装フィルム等が製造される。
【００４０】
（効果）
本願発明の縦型保管器具１０によれば、紙管１２の一端２４付近において、基板２１の貫通孔４８を、紙管１２の一端２４に位置決めし、一端固定具１８の挿入部３２を貫通孔４８及び紙管１２の中空部２２に挿入し、一端固定具１８の凸部３０を紙管１２の凹部２８に係合させることにより、紙管１２と一端固定具１８と基板２１とを互いに固定することができる。また、紙管１２の他端２６付近において、上板２３の貫通孔４８を、紙管１２の他端２６に位置決めし、他端固定具１９の挿入部３２を貫通孔４８及び紙管１２の中空部２２に挿入し、他端固定具１９の凸部３０を紙管１２の凹部２８に係合させることにより、紙管１２と他端固定具１９と上板２３とを互いに固定することができる。これにより、基板２１を下にして中心軸Ｃを略垂直にして巻回体１６を保管するための準備作業、すなわち縦型保管器具１０を巻回体１６に取り付ける準備作業を容易に行うことができ、作業工数を低減できる。
【００４１】
また、本願発明の縦型保管器具１０によれば、縦型保管器具１０の構成部品を接着材の使用をすることなく巻回体１６に取り付けることができる。このため、接着剤をカッタ又は溶剤により取り除くことなく、一端固定具１８及び他端固定具１９を紙管１２から取り外して、容易に巻回体１６から取り外すことができる。このため、縦型保管器具１０を再利用するための作業の工数を低減できるとともに再利用するための作業が環境に与える影響を良好にすることができる。
【００４２】
以上、本願発明の一実施形態について説明したが、本願発明は上述の実施形態に限定されない。
【００４３】
例えば、図１及び図２に示す縦型保管器具１０において、図１０に示すように、紙管１２の一端２４付近及び他端２６付近に段差６５を設けてもよい。図１０に示す一端固定具１８の構成は、図１及び図２に示す縦型保管器具１０の一端固定具１８の構成と同じであり、図１０に示す他端固定具１９の構成は、図１及び図２に示す縦型保管器具１０の他端固定具１９の構成と同じである。
【００４４】
図１０に示す基板２１は、貫通孔４８の外周円の直径が、紙管１２の一端２４付近の段差６５を挿入できるように、段差６５の外周円の直径と略同一に構成され、図１０に示す上板２３は、貫通孔４８の外周円の直径が、紙管１２の他端２６付近の段差６５を挿入できるように、段差６５の外周円の直径と略同一に構成されている。図１０の基板２１の構成は、貫通孔４８の外周円の直径が段差６５の外周円の直径と同一に構成されていること以外は、図１及び図２に示す縦型保管器具１０の基板２１の構成と同じである。図１０の上板２３の構成は、貫通孔４８の外周円の直径が段差６５の外周円の直径と同一に構成されていること以外は、図１及び図２に示す縦型保管器具１０の上板２３の構成と同じである。
【００４５】
図１０の縦型保管器具１０は、基板２１の貫通孔４８を紙管１２の一端２４付近の段差６５に当接させて基板２１を紙管１２に取り付け、一端固定具１８の頭部３６を紙管１２の一端２４付近に挿入し、巻回体１６と一端固定具１８と基板２１とを固定する。また、上板２３の貫通孔４８を紙管１２の他端２６付近の段差６５に当接させて上板２３を紙管１２に取り付け、他端固定具１９の頭部３６を紙管１２の他端２６付近に挿入し、巻回体１６と他端固定具１９と基板２１とを固定する。基板２１及び上板２３の貫通孔４８が紙管１２の段差６５に当接するため、基板２１及び上板２３が紙管１２に対して中心軸Ｃと垂直方向にずれることはない。
【００４６】
また、一端固定具１８又は他端固定具１９が有するコの字形状の切り欠き３８の向きは、図５（ａ）に示すものに限定されない。例えば、板片部４０の先端４２の位置は、図１１（ａ）に示すように、挿入部３２の中の先端側であっても、図１１（ｂ）に示すように、挿入部３２の中の頭部３６側（後端側）であってもよい。また、板片部４０の先端４２は、図１２（ａ）に示すように、中心軸Ｃ１と平行であってもよい。
【００４７】
また、板片部４０を形成する切り欠きはコの字形状に限定されず、図１２（ｂ）に示すように、中心軸Ｃ１と平行な２本の真っ直ぐな形状であり、挿入部３２の先端まで連続した切り欠き３９であってもよい。
【００４８】
以上、本願発明の実施形態について図面に基づいて説明したが、本願発明は図示した実施形態に限定されない。例えば、巻軸は、紙から構成されずに、樹脂又は木材から構成されていてもよい。また、巻軸の断面形状は円形に限定されず多角形であってもよい。また、巻軸は、少なくとも長手方向における一端付近及び他端付近に中空部を有していれば、中央部が稠密構造であってもよい。
【００４９】
また、一端固定具及び他端固定具の挿入部の断面形状は、円形でない多角形である巻軸の中空部の断面形状に対応した多角形であってもよい。また、基板及び上板は、ラーメン構造又はスケルトン構造であってもよい。また、上板は、少なくとも保管する巻回体側の下面が略平面であれば、上面は、略平面でなくてもよく、湾曲していてもよい。
【符号の説明】
【００５０】
１０：縦型保管器具
１２：紙管（巻軸）
２２：中空部
１４：フィルム
１６：巻回体
１８：一端固定具
１９：他端固定具
２１：基板
２３：上板
２４：一端
２６：他端
２８：凹部（被係合部）
３０：凸部（係合部）
３２：挿入部
３６：頭部
４０：板片部
４８：貫通孔
Ｃ、Ｃ１、Ｃ２：中心軸
【図１】
2019031312.tif 000003
【図２】
2019031312.tif 000004
【図３】
2019031312.tif 000005
【図４】
2019031312.tif 000006
【図５】
2019031312.tif 000007
【図６】
2019031312.tif 000008
【図７】
2019031312.tif 000009
【図８】
2019031312.tif 000010
【図９】
2019031312.tif 000011
【図１０】
2019031312.tif 000012
【図１１】
2019031312.tif 000013
【図１２】
2019031312.tif 000014
【図１３】
2019031312.tif 000015
【図１４】
2019031312.tif 000016